(57)【要約】  本発明は、機械室への液体の流入を抑制する空気調和機の室外機を提供するものである。 空気調和機の室外機は、室外機の外郭を構成する筐体と、筐体の内部に設けられ、熱交換器と送風機とを収納する送風機室と、圧縮機を収納する機械室とを区画する仕切板と、室外機を制御する電気部品を収納した電気品箱と、電気品箱の側壁に設けられ、電気部品を冷却する放熱板と、電気品箱の側壁に取り付けられて放熱板を覆い、送風機室と機械室とを連通する風路を形成し、機械室において底壁部に排水用の開口部が形成されたダクトと、ダクトの下方に設けられ、機械室と送風機室との間に延設されていると共に、機械室から送風機室に向かって下方に傾斜しており、開口部から落下した液体を送風機室に排水する水受け部と、底壁部から下方に突出して、底壁部と水受け部との間に形成された風路の一部を遮蔽する遮蔽板と、を備えたものである。
2019159360.tif 000002
【特許請求の範囲】
【請求項１】
室外機の外郭を構成する筐体と、  前記筐体の内部に設けられ、熱交換器と送風機とを収納する送風機室と、圧縮機を収納する機械室とを区画する仕切板と、  前記室外機を制御する電気部品を収納した電気品箱と、  前記電気品箱の側壁に設けられ、前記電気部品を冷却する放熱板と、  前記電気品箱の側壁に取り付けられて前記放熱板を覆い、前記送風機室と前記機械室とを連通する風路を形成し、前記機械室において底壁部に排水用の開口部が形成されたダクトと、  前記ダクトの下方に設けられ、前記機械室と前記送風機室との間に延設されていると共に、前記機械室から前記送風機室に向かって下方に傾斜しており、前記開口部から落下した液体を前記送風機室に排水する水受け部と、  前記底壁部から下方に突出して、前記底壁部と前記水受け部との間に形成された風路の一部を遮蔽する遮蔽板と、を備えた空気調和機の室外機。
【請求項２】
前記ダクトは、  前記機械室に位置し、空気取入口を形成する入口側壁と、  前記底壁部の前記開口部において、液体を前記水受け部に導く樋状の排水構造部と、を有し、  前記排水構造部は、前記入口側壁と対向する平板状の外側壁を有し、  前記入口側壁を正面視した場合に、前記外側壁の上端部が、前記空気取入口内に位置している請求項１に記載の空気調和機の室外機。
【請求項３】
前記遮蔽板は、前記機械室に配置された第１遮蔽板と、前記送風機室に配置された第２遮蔽板とから構成されている請求項１又は２に記載の空気調和機の室外機。
【請求項４】
前記第２遮蔽板は、前記水受け部の下端部の延長線上に配置され、前記第２遮蔽板の下端部は、前記水受け部の下端部よりも下方に位置している請求項３に記載の空気調和機の室外機。
【請求項５】
前記第２遮蔽板は、前記水受け部の側方に延設された側板部を有する請求項３又は４に記載の空気調和機の室外機。
【発明の詳細な説明】
【技術分野】
【０００１】  本発明は、機械室への浸水防止構造を備えた空気調和機の室外機に関するものである。
【背景技術】
【０００２】  一般に、熱交換器及び送風機を収納した送風機室と、圧縮機及び電気部品を収納した機械室とを仕切板で区画してなる空気調和機の室外機において、機械室内は、圧縮機及び電気部品により熱が生じている。そこで、圧縮機及び電気部品の放熱のために、室外機の筐体には、機械室内に外気を取り入れる空気導入口が形成されている。さらに、電気部品の放熱のために設けられた放熱板の冷却効率を向上させるために、空気導入口から機械室を介して送風機室に通じる直通の風路が形成された空気調和機の室外機が提案されている（特許文献１参照）。この室外機には、機械室内へ雨水等の液体が流入することを防ぐために、風路に浸入した雨水等の液体を送風機室側へ排水するように、下り勾配を形成する下面板が設けられている。
【先行技術文献】
【特許文献】
【０００３】
【特許文献１】特開２０００−２７５３７２号公報
【発明の概要】
【発明が解決しようとする課題】
【０００４】  特許文献１の空気調和機の室外機は、送風機室側から機械室側への風の逆流に起因し、下面板を流れる液体が、逆流して機械室へ流入する恐れがある。【０００５】  本発明は、上記のような課題を解決するものであり、機械室への液体の流入を抑制する空気調和機の室外機を提供するものである。
【課題を解決するための手段】
【０００６】  本発明の空気調和機の室外機は、室外機の外郭を構成する筐体と、筐体の内部に設けられ、熱交換器と送風機とを収納する送風機室と、圧縮機を収納する機械室とを区画する仕切板と、室外機を制御する電気部品を収納した電気品箱と、電気品箱の側壁に設けられ、電気部品を冷却する放熱板と、電気品箱の側壁に取り付けられて放熱板を覆い、送風機室と機械室とを連通する風路を形成し、機械室において底壁部に排水用の開口部が形成されたダクトと、ダクトの下方に設けられ、機械室と送風機室との間に延設されていると共に、機械室から送風機室に向かって下方に傾斜しており、開口部から落下した液体を送風機室に排水する水受け部と、底壁部から下方に突出して、底壁部と水受け部との間に形成された風路の一部を遮蔽する遮蔽板と、を備えたものである。
【発明の効果】
【０００７】  本発明の空気調和機の室外機は、底壁部から下方に突出して、底壁部と水受け部との間に形成された風路の一部を遮蔽する遮蔽板を備えたものである。そのため、遮蔽板が、送風機室側から機械室側への風の逆流を防止することで、室外機は、液体が逆流して機械室へ流入することを抑制することができる。
【図面の簡単な説明】
【０００８】
【図１】本発明の実施の形態１に係る空気調和機の室外機の正面方向の斜視図である。
【図２】本発明の実施の形態１に係る空気調和機の室外機の背面方向の斜視図である。
【図３】本発明の実施の形態１に係る空気調和機の室外機の内部を示す概略正面図である。
【図４】本発明の実施の形態１に係る空気調和機の室外機の内部を示す概略上面図である。
【図５】本発明の実施の形態１に係る空気調和機の室外機の内部を示す概略斜視図である。
【図６】図５に示すダクトのＡ部の拡大図である。
【発明を実施するための形態】
【０００９】  以下、本発明における空気調和装置の室外機１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。
【００１０】実施の形態１．  図１は、本発明の実施の形態１に係る空気調和機の室外機１００の正面方向の斜視図である。図２は、本発明の実施の形態１に係る空気調和機の室外機１００の背面方向の斜視図である。図１及び図２を用いて、空気調和機の室外機１００の外郭について説明する。図１を含む以下の図面に示すＸ軸は、室外機１００の左右方向を示し、Ｙ軸は室外機１００の前後方向を示し、Ｚ軸は室外機１００の上下方向を示すものである。より詳細には、室外機１００を正面から見たときＸ１側を左側、Ｘ２側を右側、Ｙ軸においてＹ１側を前側、Ｙ２側を後側、Ｚ軸においてＺ１側を上側、Ｚ２側を下側として室外機１００を説明する。また、明細書中における各構成部材同士の位置関係（例えば、上下関係等）は、原則として、室外機１００を使用可能な状態に設置したときのものである。
【００１１】  室外機１００は、筐体１を有する。室外機１００の筐体１は、室外機１００の外郭を構成する。筐体１は、板金製であり、図１に示すように略直方体形状に構成されている。筐体１は、円形状の吹出口１ａ１が形成されている前面パネル１ａと、前面パネル１ａと対向して設置され、後述する機械室４の背面を覆う背面パネル１ｂと、を有する。また、筐体１は、筐体１を前方から見て後述する送風機室３側の側面に設けられた左側面パネル１ｃと、機械室４側の側面に設けられた右側面パネル１ｄと、を有する。さらに、筐体１は、前面パネル１ａと、背面パネル１ｂと、左側面パネル１ｃと、右側面パネル１ｄと、により形成された上部開口を覆う天面パネル１ｅと、下部部開口を覆う底板１ｆとを有する。前面パネル１ａには、吹出口１ａ１を覆って送風機１２のプロペラファンを保護するファンガード１ｇが取り付けられている。背面パネル１ｂには、矩形の開口部１ｂ１が形成されており、開口部１ｂ１を介して筐体１の内部に熱交換器１１が配置されている。右側面パネル１ｄには、機械室４内に外気を取り入れるための外気取入口１ｄ１が形成されている。なお、外気取入口１ｄ１は、矩形状の貫通孔が複数形成されている態様で示されているが、外気取入口１ｄ１は、機械室４内に空気を取り入れるものであればよく、外気取入口１ｄ１の構造、位置、範囲等は図１及び図２の態様に限定されるものではない。
【００１２】  図３は、本発明の実施の形態１に係る空気調和機の室外機１００の内部を示す概略正面図である。図４は、本発明の実施の形態１に係る空気調和機の室外機１００の内部を示す概略上面図である。図５は、本発明の実施の形態１に係る空気調和機の室外機１００の内部を示す概略斜視図である。次に、図３〜図５を用いて、空気調和機の室外機１００の内部構成について説明する。なお、空気調和機の室外機１００の構成をわかりやすく説明するために、例えば、図３では、送風機１２の支持構造を省略し、また、図５では、熱交換器１１を省略する等、各図において構成部品の一部の図示を省略している。また、図４及び図５に示す直方体状の点線は、ダクト３０内に収納されている放熱板２０、または、電気品箱１５内に収納されている電気部品１５ｄを示すものである。また、図４及び図５に示す白抜き矢印Ｗ１は、機械室４からダクト３０内に流入する空気の流れを示したものである。室外機１００は、筐体１内を送風機室３と機械室４とに区画する仕切板２を有する。仕切板２は、筐体１の内部に設けられ、底板１ｆから上方向（Ｚ軸方向）に延設されていると共に、底板１ｆの前後方向（Ｙ軸方向）に延設されている。仕切板２は、例えば、板金等を折曲して形成されている。送風機室３側には、熱交換器１１と、熱交換器１１に対向するように配置された送風機１２とが収納されており、機械室４側には、圧縮機１３が収納されている。この熱交換器１１及び圧縮機１３は、底板１ｆ上に設置されている。また、圧縮機１３の上方において、電気品箱１５が、送風機室３と機械室４とにわたって配置されている。なお、電気品箱１５は、例えば、機械室４にのみ配置されてもよく、送風機室３と機械室４とにわたって配置されているものに限定されるものではない。
【００１３】  熱交換器１１は、内部を流れる冷媒と外気との熱交換を行うものであって、暖房運転時には蒸発器として機能し、冷房運転時には凝縮器として機能する。熱交換器１１は、冷媒を通過させる複数の伝熱管１１ａと、伝熱管１１ａを流れる冷媒と外気との間の伝熱面積を大きくするための複数のフィン１１ｂとを備えている。熱交換器１１は、平板領域と曲面領域とを有し、底板１ｆに対して垂直方向に見た場合に、Ｌ字形状に形成されている。なお、図３及び図４では、熱交換器１１がＬ字状に形成された場合について例示しているが、底板１ｆに対して垂直方向に見た場合に、直線状に形成されたものでもよく、両端に曲面領域を備えたＵ字状に形成されたものでもよい。
【００１４】  送風機１２は、モータ１２ａとプロペラファン１２ｂとを備えた送風手段であり、熱交換器１１における熱交換を効率的に行うための空気循環を生成する。送風機１２は、図３及び図４に示すように、筐体１内において、熱交換器１１の前方（Ｙ１側）に配置されている。送風機１２は、熱交換器１１とプロペラファン１２ｂとの間を負圧にして、筐体１の背面側（Ｙ２側）又は側面側（Ｘ２側）から筐体１の内部に外気を導入し、室外機１００の内部に導入された外気を室外機１００の前面側（Ｙ１側）に向かって排出する。また、送風機１２は、熱交換器１１とプロペラファン１２ｂとの間を負圧にし、機械室４内に導入された外気を送風機室３内に移動させることで、電気品箱１５の背面に設けられた複数の放熱板２０の間に外気を通過させる。
【００１５】  圧縮機１３は、吸入した冷媒を圧縮して高温高圧ガス冷媒の状態にして吐出するものである。圧縮機１３は、例えば、ロータリー式、スクロール式又はベーン式等の圧縮機である。圧縮機１３は、インバータ装置を備えていてもよく、インバータ装置によって運転周波数を変化させて、圧縮機１３の容量を変更することができるように構成されてもよい。なお、圧縮機１３の容量とは、単位時間当たりに送り出す冷媒の量である。
【００１６】  室外機１００は、筐体１内に、電気品箱１５を有する。電気品箱１５は、室外機１００の動作を制御するための制御部品等の電気部品１５ｄを収納する。制御部品は、例えば、回路デバイスなどのハードウェア、又は中央演算処理装置などの演算装置上で実行されるソフトウェアあるいはそれらの組み合わせで構成される。電気品箱１５には、電気品箱１５内に収納されている電気部品１５ｄを冷却する放熱板２０が設けられている。
【００１７】  室外機１００は、筐体１内に、電気部品１５ｄを冷却する放熱板２０を有する。放熱板２０は、電気品箱１５の側壁に設けられている。より詳細には、室外機１００において、熱交換器１１を介して空気が取り入れられる側を空気の上流側、空気が吹き出される側を空気の下流側とすると、放熱板２０は、空気の上流側に位置する電気品箱１５の側壁部１５ａに設けられている。すなわち、室外機１００において、送風機１２によって空気が吹き出される側を前方、送風機１２によって空気が取り入れられる側を後方と規定すると、放熱板２０は、電気品箱１５の後方に設けられている。放熱板２０は、例えば、左右方向（Ｘ軸方向）に延設する複数の板状のフィンが上下方向（Ｚ軸方向）に並列して配置されている。複数の放熱板２０は、後述するダクト３０の入口側壁３０ｂと出口側壁３０ｃとの間において、入口側壁３０ｂ側の端部が、出口側壁３０ｃ側の端部よりも下方に位置するように傾斜して配置されることが望ましい。すなわち、複数の放熱板２０は、機械室４側の端部が、送風機室３側の端部よりも下方に位置するように傾斜して配置されることが望ましい。放熱板２０の間に侵入した雨水が、後述する排水構造部４０の中に落下しやすくなるためである。電気品箱１５の後方には、さらに放熱板２０を覆うダクト３０が取り付けられている。
【００１８】  室外機１００は、筐体１内に、ダクト３０を有する。ダクト３０は、図５に示すように、電気品箱１５の側壁に取り付けられて放熱板２０を覆い、送風機室３と機械室４とを連通する風路を形成する。ダクト３０は、機械室４に流入する室外空気を機械室４から送風機室３へ通風させる。ダクト３０は、送風機室３と機械室４とにわたって配置され、放熱板２０を室外機１００の後方側から覆う後部側壁３０ａを有する。また、ダクト３０は、後部側壁３０ａの左右方向（Ｘ軸方向）の両端に位置し、機械室４側の側壁を構成する入口側壁３０ｂと、送風機室３側の側壁を構成する出口側壁３０ｃとを有する。ダクト３０は、入口側壁３０ｂと、出口側壁３０ｃとが対向するように形成されており、機械室４に配置された入口側壁３０ｂには開口が形成されており、送風機室３に配置された出口側壁３０ｃにも開口が形成されている。入口側壁３０ｂは、機械室４に位置し、入口側壁３０ｂに形成された開口が空気取入口３０ｂ１を形成する。ダクト３０は、さらにダクト３０の天井部を構成する天井壁３０ｄと、ダクト３０の底板を構成する底壁部３０ｅとを有する。ダクト３０は、内部に放熱板２０を収容し、電気品箱１５の側壁部１５ａに取り付けられている。すなわち、ダクト３０は、電気品箱１５の後方に取り付けられている。なお、図４では、ダクト３０は、熱交換器１１と対向しているが、室外機１００の長手方向の長さ、あるいは、熱交換器１１のサイズによって、ダクト３０と熱交換器１１とは対向していなくてもよい。
【００１９】  図６は、図５に示すダクト３０のＡ部の拡大図である。図６を用いて、空気調和機の室外機１００の排水構造を説明する。なお、図６では、空気調和機の室外機１００の排水構造を説明するために、ダクト３０を構成する側壁の一部の図示を省略している。また、図６に示す白抜き矢印Ｗ１は、機械室４からダクト３０内に流入する空気の流れを示したものである。ダクト３０は、底壁部３０ｅに排水用の開口部３０ｇが形成されている。開口部３０ｇは、底壁部３０ｅを上下方向に貫通する孔であり、底壁部３０ｅの機械室４側の端部に形成されている。ダクト３０の開口部３０ｇには、排水構造部４０が設けられている。排水構造部４０は、底壁部３０ｅの開口部３０ｇにおいて、底壁部３０ｅから下方に延設されており、樋状に形成されている。排水構造部４０は、ダクト３０内に進入した雨水等の液体を収集し、下方に排出する。そして、排水構造部４０は、底壁部３０ｅの開口部３０ｇにおいて、雨水等の液体を後述する水受け部４１に導く。排水構造部４０を上方（Ｚ１側）から見た平面視において、排水構造部４０は、入口側壁３０ｂと、放熱板２０との間に位置している。排水構造部４０は、入口側壁３０ｂと出口側壁３０ｃとの間で、入口側壁３０ｂ側の側壁を構成する外側壁４０ｂと、出口側壁３０ｃ側の側壁を構成する内側壁４０ａとを有する。排水構造部４０の内側壁４０ａと外側壁４０ｂとは、対向している。排水構造部４０は、内側壁４０ａと外側壁４０ｂとの間に空間を形成し、樋を構成する。排水構造部４０の内側壁４０ａは、ダクト３０の底壁部３０ｅから下方に延設されている。外側壁４０ｂは、平板状に形成されており、入口側壁３０ｂと対向する。排水構造部４０は、入口側壁３０ｂを正面視した場合に、外側壁４０ｂの上端部４０ｂ１が、空気取入口３０ｂ１内に位置している。すなわち、排水構造部４０は、外側壁４０ｂの上端部４０ｂ１が、空気取入口３０ｂ１を形成する入口側壁３０ｂの下縁部３０ｂ２よりも上方に位置している。また、排水構造部４０は、外側壁４０ｂの上端部４０ｂ１は、底壁部３０ｅよりも上方に位置する。外側壁４０ｂは、放熱板２０又は底壁部３０ｅから落下する雨水等の液体が、入口側壁３０ｂに形成された空気取入口３０ｂ１から飛散して機械室４内に浸入しないように、液体がダクト３０外に飛散することを抑制する。なお、排水構造部４０は、内側壁４０ａと外側壁４０ｂとの間に中間側壁４０ｃを有していてもよい。中間側壁４０ｃは、上方から下方に角度の異なる複数の壁部が組み合わされて形成されており、上方から下方へ流れる水の勢いを抑制する。また、内側壁４０ａ及び外側壁４０ｂと一体に形成されることで排水構造部４０の強度を向上させる。ダクト３０の底壁部３０ｅの下方には、水受け部４１が設けられている。
【００２０】  室外機１００は、水受け部４１を有する。水受け部４１は、ダクト３０の下方に設けられ、機械室４と送風機室３との間に延設されていると共に、機械室４から送風機室３に向かって下方に傾斜している。水受け部４１は、樋であり、底壁部３０ｅの開口部３０ｇから落下した雨水等の液体を受けて、室外機１００の機械室４側から送風機室３側に液体を流し、液体を送風機室３に排水する。水受け部４１は、機械室４側に配置された上端部４１ａが、送風機室３側に配置された下端部４１ｂよりも上方になるように傾斜して配置されている。上端部４１ａは、排水構造部４０の下方に位置し、排水構造部４０から落下してくる液体を受け止めるために、下端部４１ｂよりも幅広に形成されている。下端部４１ｂは、雨水が送風機室３に落下するように、送風機室３に配置されている。水受け部４１は、液体が落下する下端部４１ｂの先端部を除いて、水が外に落下しないように側壁４１ｅが設けられている。ダクト３０と、水受け部４１との間には風路が形成されており、この風路には第１遮蔽板４２及び第２遮蔽板４３が配置されている。
【００２１】  室外機１００は、第１遮蔽板４２及び第２遮蔽板４３を有する。第１遮蔽板４２及び第２遮蔽板４３は、底壁部３０ｅから下方に突出して、底壁部３０ｅと水受け部４１との間に形成された風路の一部を遮蔽する。第１遮蔽板４２は、ダクト３０の底壁部３０ｅの下方から、水受け部４１に向かって突出する。第１遮蔽板４２は、機械室４に配置されている。第１遮蔽板４２は、平板状に形成されており、一方の面は、入口側壁３０ｂ側に面しており、他方の面は、出口側壁３０ｃ側に面している。なお、水受け部４１を流れる液体の流れを阻害しないように、第１遮蔽板４２の先端部と、水受け部４１との間には空間が形成されている。第１遮蔽板４２を設けることで、送風機室３側から機械室４側への風の逆流を防止できるとともに、雨水等の液体が第１遮蔽板４２と水受け部４１との隙間を通って送風機室３側に流れることができる。第１遮蔽板４２は、底壁部３０ｅと水受け部４１との間に形成される風路の一部を遮蔽することで、送風機室３側から機械室４側に逆風が吹いた場合に、水受け部４１を流れている液体が、機械室４側に逆流することを防止している。
【００２２】  第２遮蔽板４３は、ダクト３０の底壁部３０ｅの下方から、室外機１００の底板１ｆに向かって突出する。第２遮蔽板４３は、平板状に形成された平板部４３ａを有しており、平板部４３ａの一方の面は、入口側壁３０ｂ側に面しており、他方の面は、出口側壁３０ｃ側に面している。第２遮蔽板４３は、水受け部４１の下端部４１ｂの延長線上に配置されており、送風機室３に配置されている。第２遮蔽板４３の下端部４３ｂは、水受け部４１の下端部４１ｂよりも下方に位置している。この第２遮蔽板４３は、底壁部３０ｅと水受け部４１との間に形成される風路の一部を遮蔽する。水受け部４１を流れる液体の流れを阻害しないように、第２遮蔽板４３と、水受け部４１の下端部４１ｂとの間には空間が形成されている。第２遮蔽板４３は、図５に示すように、平板部４３ａの側縁部４１ｃから水受け部４１の側方に延設された側板部４３ｄを有する。なお、図６では、水受け部４１の構造を明確にするために、側板部４３ｄの構造を一部省略している。第２遮蔽板４３を設けることで、水受け部４１の排水経路中の所望の位置で水受け部４１の側方から排水できると共に、送風機室３から機械室４への風の流入を防止することができる。第２遮蔽板４３は、底壁部３０ｅと水受け部４１との間に形成される風路の一部を遮蔽することで、送風機室３側から機械室４側に逆風が吹いた場合に、水受け部４１を流れている液体が機械室４側に逆流することを防止している。
【００２３】  次に、室外機１００における空気の流れを説明する。まず、送風機１２が作動することにより、送風機室３の送風機１２と熱交換器１１との間の空間が負圧状態となる。ここで、負圧状態となった送風機室３の空間は、ダクト３０を介して、機械室４の空間と連通する。また、機械室４は、室外機１００の筐体１に形成された外気取入口１ｄ１を通じて外部空間と連通する。そのため、送風機室３の送風機１２と熱交換器１１との間の空間が負圧状態となることにより、機械室４からダクト３０を介して送風機室３に外気が取り入れられる。このとき、室外機１００の外部から機械室４内に進入してきた外気がダクト３０の内部を通過し、放熱板２０の間を通過することで放熱板２０から熱を奪い、電気部品１５ｄを冷却して送風機室３側へ吐出される。雨風の強いときなどは機械室４側からダクト３０の内部に雨水が浸入してくる場合がある。そこで、ダクト３０内に進入してきた雨水等の液体は、排水構造部４０からダクト３０の底壁部３０ｅの下方に設けた水受け部４１へ排水され、水受け部４１に排水された液体は、水受け部４１を流れて送風機室３側へ排水される。このとき、排水構造部４０の外側壁４０ｂは、ダクト３０に進入してきた雨水が水受け部４１流れる際に、ダクト３０の外へ液体が飛散するのを抑制し、水受け部４１へ液体が流れるように導く。また、第１遮蔽板４２及び第２遮蔽板４３は、底壁部３０ｅと水受け部４１との間に形成される風路の一部を遮蔽することで、送風機室３側から機械室４側に逆風が吹いた場合に、水受け部４１を流れている液体が機械室４側に逆流することを防止している。送風機室３側に排水された液体は、室外機１００の底板１ｆへ落ち、そこから室外機１００の外へ排水される。あるいは、送風機室３側に排水された液体は、送風機１２により飛ばされて室外機１００の外へ排水される。
【００２４】  以上のように、空気調和機の室外機１００は、底壁部３０ｅから下方に突出して、底壁部３０ｅと水受け部４１との間に形成された風路の一部を遮蔽する第１遮蔽板４２又は第２遮蔽板４３を備えたものである。そのため、第１遮蔽板４２又は第２遮蔽板４３が、送風機室３側から機械室４側への風の逆流を防止することで、室外機１００は、液体が逆流して機械室４へ流入することを抑制することができる。
【００２５】  また、空気調和機の室外機１００は、ダクト３０に排水構造部４０を備え、排水構造部４０は、ダクト３０の入口側壁３０ｂと対向する平板状の外側壁４０ｂを有する。この外側壁４０ｂは、入口側壁３０ｂを正面視した場合に、外側壁４０ｂの上端部４０ｂ１が、空気取入口３０ｂ１内に位置している。外側壁４０ｂが、空気取入口３０ｂ１の一部を覆うことで、ダクト３０内に進入した雨水等の液体が機械室４内に飛散することを抑制し、液体を水受け部４１に流すことができる。その結果、室外機１００は、機械室４への液体の流入を抑制することができる。
【００２６】  また、空気調和機の室外機１００は、機械室４に配置された第１遮蔽板４２と、送風機室３に配置された第２遮蔽板４３とを有する。第１遮蔽板４２及び第２遮蔽板４３が、送風機室３側から機械室４側への風の逆流を防止することで、室外機１００は、更に液体が逆流して機械室４へ流入することを抑制することができる。
【００２７】  また、空気調和機の室外機１００は、第２遮蔽板４３が、水受け部４１の下端部４１ｂの延長線上に配置され、第２遮蔽板４３の下端部４３ｂは、水受け部４１の下端部４１ｂよりも下方に位置している。そのため、第２遮蔽板４３は、水受け部４１から排水された液体を、底板１ｆに向けて落下させることができる。
【００２８】  また、空気調和機の室外機１００は、第２遮蔽板４３が、水受け部４１の側方に延設された側板部４３ｄを有する。側板部４３ｄが、水受け部４１の側方に位置することで、送風機室３から機械室４への逆風が、水受け部４１に流入することを防止することができる。そのため、室外機１００は、液体が逆流して機械室４へ流入することを抑制することができる。
【００２９】  本発明の実施の形態は上記実施の形態に限定されない。例えば、室外機１００は、第１遮蔽板４２及び第２遮蔽板４３の２枚の遮蔽板を有する構成を図示しているが、３枚以上の遮蔽板を有する構成であってもよい。
【符号の説明】
【００３０】  １  筐体、１ａ  前面パネル、１ａ１  吹出口、１ｂ  背面パネル、１ｂ１  開口部、１ｃ  左側面パネル、１ｄ  右側面パネル、１ｄ１  外気取入口、１ｅ  天面パネル、１ｆ  底板、１ｇ  ファンガード、２  仕切板、３  送風機室、４  機械室、１１  熱交換器、１１ａ  伝熱管、１１ｂ  フィン、１２  送風機、１２ａ  モータ、１２ｂ  プロペラファン、１３  圧縮機、１５  電気品箱、１５ａ  側壁部、１５ｄ  電気部品、２０  放熱板、３０  ダクト、３０ａ  後部側壁、３０ｂ  入口側壁、３０ｂ１  空気取入口、３０ｂ２  下縁部、３０ｃ  出口側壁、３０ｄ  天井壁、３０ｅ  底壁部、３０ｇ  開口部、４０  排水構造部、４０ａ  内側壁、４０ｂ  外側壁、４０ｂ１  上端部、４０ｃ  中間側壁、４１  水受け部、４１ａ  上端部、４１ｂ  下端部、４１ｃ  側縁部、４１ｅ  側壁、４２  第１遮蔽板、４３  第２遮蔽板、４３ａ  平板部、４３ｂ  下端部、４３ｄ  側板部、１００  室外機。
【図１】
2019159360.tif 000003
【図２】
2019159360.tif 000004
【図３】
2019159360.tif 000005
【図４】
2019159360.tif 000006
【図５】
2019159360.tif 000007
【図６】
2019159360.tif 000008
【手続補正書】
【提出日】令和2年6月10日(2020.6.10)
【手続補正１】
【補正対象書類名】明細書
【補正対象項目名】０００６
【補正方法】変更
【補正の内容】
【０００６】
本発明の空気調和機の室外機は、室外機の外郭を構成する筐体と、筐体の内部に設けられ、熱交換器と送風機とを収納する送風機室と、圧縮機を収納する機械室とを区画する仕切板と、室外機を制御する電気部品を収納した電気品箱と、電気品箱の側壁に設けられ、電気部品を冷却する放熱板と、電気品箱の側壁に取り付けられて放熱板を覆い、送風機室と機械室とを連通する風路を形成し、機械室において底壁部に排水用の開口部が形成されたダクトと、ダクトの下方に設けられ、機械室と送風機室との間に延設されていると共に、機械室から送風機室に向かって下方に傾斜しており、開口部から落下した液体を送風機室に排水する水受け部と、底壁部から下方に突出して、底壁部と水受け部との間に形成された風路の一部を遮蔽する遮蔽板と、を備え、遮蔽板は、機械室に配置された第１遮蔽板と、送風機室に配置された第２遮蔽板とから構成されており、第２遮蔽板は、水受け部の側方に延設された側板部を有するものである。
【手続補正２】
【補正対象書類名】特許請求の範囲
【補正対象項目名】全文
【補正方法】変更
【補正の内容】
【特許請求の範囲】
【請求項１】
室外機の外郭を構成する筐体と、
前記筐体の内部に設けられ、熱交換器と送風機とを収納する送風機室と、圧縮機を収納する機械室とを区画する仕切板と、
前記室外機を制御する電気部品を収納した電気品箱と、
前記電気品箱の側壁に設けられ、前記電気部品を冷却する放熱板と、
前記電気品箱の側壁に取り付けられて前記放熱板を覆い、前記送風機室と前記機械室とを連通する風路を形成し、前記機械室において底壁部に排水用の開口部が形成されたダクトと、
前記ダクトの下方に設けられ、前記機械室と前記送風機室との間に延設されていると共に、前記機械室から前記送風機室に向かって下方に傾斜しており、前記開口部から落下した液体を前記送風機室に排水する水受け部と、
前記底壁部から下方に突出して、前記底壁部と前記水受け部との間に形成された風路の一部を遮蔽する遮蔽板と、
を備え、
前記遮蔽板は、前記機械室に配置された第１遮蔽板と、前記送風機室に配置された第２遮蔽板とから構成されており、
前記第２遮蔽板は、前記水受け部の側方に延設された側板部を有する空気調和機の室外機。
【請求項２】
前記ダクトは、
前記機械室に位置し、空気取入口を形成する入口側壁と、
前記底壁部の前記開口部において、液体を前記水受け部に導く樋状の排水構造部と、
を有し、
前記排水構造部は、前記入口側壁と対向する平板状の外側壁を有し、
前記入口側壁を正面視した場合に、前記外側壁の上端部が、前記空気取入口内に位置している請求項１に記載の空気調和機の室外機。
【請求項３】
前記第２遮蔽板は、前記水受け部の下端部の延長線上に配置され、前記第２遮蔽板の下端部は、前記水受け部の下端部よりも下方に位置している請求項１又は２に記載の空気調和機の室外機。
【国際調査報告】
2019159360.tif 000009
2019159360.tif 000010
2019159360.tif 000011
2019159360.tif 000012